(57)【要約】【課題】スラブ型枠の解体が簡単にできる固定具およびスラブ型枠の解体方法を提供することである。【解決手段】固定具１の要旨は、下面に取付ピン６を突設した下部スペーサー２と、該下部スペーサー２に取外自在に取り付けられた上部スペーサー３とから構成され、前記取付ピン６は長さ方向で半割した半割片７が互いに横方向へずれて段継ぎ部で密接され、前記半割片７の上下部には適宜間隙部８をおいてフック９が形成され、該上部フック近傍の半割片７には折り取り溝１０が形成された構成である。【選択図】  図１
2004183439.tif 000002
【特許請求の範囲】
【請求項１】
下面に取付ピンを突設した下部スペーサーと、該下部スペーサーに取外自在に取り付けられた上部スペーサーとから構成され、前記取付ピンは長さ方向で半割した半割片が互いに横方向へずれて段継ぎ部で密接され、前記半割片の上下部には適宜間隙部をおいてフックが形成され、該上部フック近傍の半割片には折り取り溝が形成されたことを特徴とする固定具。
【請求項２】
スラブ型枠の底板における挿入孔に取付ピンを差し込んで請求項１の固定具を設置し、該固定具の上部スペーサーとスラブ上端筋とを結束した後、前記のスラブ型枠内にコンクリートを打設し、該コンクリートが硬化した後に、取付ピンの半割片の段継ぎ部における段付き状態を解除して、半割片同士が一体となるように重ね合わせた後、この取付ピンを差込孔から抜くようにして底板を撤去し、該底板が撤去されたコンクリートから突出した取付ピンを折り取り溝から折り取ることを特徴とするスラブ型枠の解体方法。
【請求項３】
固定具の下部に突設した、長さ方向で半割した半割片の下部に下側に向かって漸次細くなったフックを備え、かつフックの真上あるいは半割片の付け根の少なくとも一方に折り取り溝、または半割片の付け根が細く形成された取付ピンを、スラブ型枠の底板における挿入孔に差し込んで、スラブ型枠に固定具を設置し、該固定具の上部にスラブ上端筋を結束した後、前記スラブ型枠内にコンクリートを打設し、該コンクリートが硬化した後に、フックの真上あるいは半割片の付け根の少なくとも一方に形成された折り取り溝、または細く形成された半割片の付け根から取付ピンを折り、または捻り取った後、底板を撤去することを特徴とするスラブ型枠の解体方法。
【発明の詳細な説明】
【０００１】
【発明の属する技術分野】
本発明は固定具およびスラブ型枠の解体方法に関するものである。
【０００２】
【従来の技術】
従来の中空スラブにおける中空材の固定具は、例えば特開２０００−１６０５１１号公報に示すものがある。この固定具は図２に示すように、受台１に設置された中空スラブ管Ｐが締付部材９とボルト８とで型枠Ａに固定されている。
【０００３】
【特許文献１】
特開２０００−１６０５１１号公報（図２）
【０００４】
【発明が解決しようとする課題】
しかし、上記のような固定具には下記のような問題があった。
（１）固定具とスペーサーとが別体になっている
（２）固定具を型枠に取り付けるには、スラブ型枠の上下側からの作業を必要とする
（３）スラブ型枠の解体には下側からボルトを外さなければならなかった
【０００５】
本発明は上記のような問題に鑑みてなされたものであり、その目的は、スラブ型枠の解体が簡単にできる固定具およびスラブ型枠の解体方法を提供することである。
【０００６】
【課題を解決するための手段】
以上の課題を達成するための本発明の固定具の要旨は、下面に取付ピンを突設した下部スペーサーと、該下部スペーサーに取外自在に取り付けられた上部スペーサーとから構成され、前記取付ピンは長さ方向で半割した半割片が互いに横方向へずれて段継ぎ部で密接され、前記半割片の上下部には適宜間隙部をおいてフックが形成され、該上部フック近傍の半割片には折り取り溝が形成されたことを特徴とする構成である。
またスラブ型枠の解体方法は、スラブ型枠の底板における挿入孔に取付ピンを差し込んで請求項１の固定具を設置し、該固定具の上部スペーサーとスラブ上端筋とを結束した後、前記のスラブ型枠内にコンクリートを打設し、該コンクリートが硬化した後に、取付ピンの半割片の段継ぎ部における段付き状態を解除して、半割片同士が一体となるように重ね合わせた後、この取付ピンを差込孔から抜くようにして底板を撤去し、該底板が撤去されたコンクリートから突出した取付ピンを折り取り溝から折り取ることを特徴とする構成である。
またスラブ型枠の解体方法は、固定具の下部に突設した、長さ方向で半割した半割片の下部に下側に向かって漸次細くなったフックを備え、かつフックの真上あるいは半割片の付け根の少なくとも一方に折り取り溝、または半割片の付け根が細く形成された取付ピンを、スラブ型枠の底板における挿入孔に差し込んで、スラブ型枠に固定具を設置し、該固定具の上部にスラブ上端筋を結束した後、前記スラブ型枠内にコンクリートを打設し、該コンクリートが硬化した後に、フックの真上あるいは半割片の付け根の少なくとも一方に形成された折り取り溝、または細く形成された半割片の付け根から取付ピンを折り、または捻り取った後、底板を撤去することを特徴とする構成である。
【０００７】
スラブ型枠内へのコンクリートの打設による中空材の浮き上がりを防止する固定具と、配筋用のスペーサーとを兼用することができるので、施工の省略化と材料費の削減ができる。上部スペーサーが下部スペーサーから取り外することができるので、その高さを自由に変えることができる。上部スペーサーの高さを変えるだけで各種のスラブ厚に対応することができる。取付ピンの半割片が折り取り溝によって簡単に折り取ることができるので、スラブ型枠の解体が簡単にできる。フック真上の折り取り溝からのフックの折り取りにより、スラブ型枠が簡単に解体できる。また半割片の付け根の折り取り溝からの取付ピンの折り取りにより、スラブ型枠が簡単に解体できる。また細くなった付け根からの取付ピンの捻り取りにより、スラブ型枠が簡単に解体できる。
【０００８】
【発明の実施の形態】
以下、本発明の固定具およびスラブ型枠の解体方法の実施の形態を図面に基づいて説明する。はじめに固定具について説明し、その後にスラブ型枠の解体方法について説明する。また各実施の形態において同じ構成は同じ符号を付して説明し、異なった構成にのみ異なった符号を付して説明する。
【０００９】
図１は第１の実施の形態の固定具１、すなわち中空スラブの中空材を固定するときに使用する固定具を示したものであり、下部スペーサー２と上部スペーサー３とから構成されている。下部スペーサー２はプラスチックにより板体４が連結板５で接合された平面Ｈ形に形成され、該連結板５に取付ピン６が一体形成されている。
【００１０】
この取付ピン６は、図２に示すように、長さ方向で半割した半割片７が互いに横方向へずれて形成され、該半割片７の上下部には適宜間隙部８をおいてフック９が形成され、該フック９が両端側に向かって漸次小径に形成されている。また上部フック９近傍の半割片７には、該半割片７を簡単に折り取ることができる折り取り溝１０が形成されている。また半割片７の下部側は段継ぎ部１１で密接されて、半割片７が合体する方向へのスライドができないようになっているが、この段継ぎ状態を解除すると前記スライドができるようになっている。
【００１１】
また上部スペーサー３はスラブ上端筋を設置するものであり、４本の脚体１２を構成する適宜長さの鋼線が上部で結束して構成され、脚体１２の先端部には折曲部１２ａが形成されている。
【００１２】
また図３は第２の実施の形態の固定具１３を示した斜視図であり、下部スペーサー１４と上部スペーサー１５とが連結具１６、１７を介して接続して構成されている。また下部スペーサー１４には上記と同じ構成の取付ピン６が設けられ、上部スペーサー１５にはスラブ上端筋を載置する凹部１８が形成されている。これらの下部スペーサー１４と上部スペーサー１５と連結具１６、１７とは、それぞれプラスチックで形成されかつ分離できるため、その高さを自由に変えることができる。
【００１３】
図４は上記の固定具１を使用して中空材を固定した断面図を示し、スラブ型枠１９に開口された差込孔２０に取付ピン６が挿入され、この取付ピン６のフック９によって固定具１が固定されている。この固定具１の下部スペーサー２にはスラブ下端筋２１が設置されて、このかぶり厚を確保している。またスラブ下端筋２１の上には中空材２２が設置され、該中空材２２の上に配筋されたスラブ上端筋２３が上部スペーサー３に支持されて結束線２４で結束されている。このように固定具１は中空材２２を固定するとともに、下部スペーサー２と上部スペーサー３とでスラブ下端筋２１とスラブ上端筋２３のスペースも確保している。
【００１４】
次に、この固定具１を使用した第１の実施の形態のスラブ型枠の解体方法について説明する。この方法において、固定具１の下部スペーサー２と上部スペーサー３とはそれぞれ分離して使用される。まず、図５に示すように、スラブ型枠１９の型板に差込孔２０を開口し、ここにスラブ型枠１９の上側から取付ピン６を差し込んで下部スペーサー２を取り付ける。
【００１５】
この取付ピン６の差し込み方法は、図６に示すように、半割片７の段継ぎ部１１における段付き状態を解除して、半割片７同士が一体となる方向へスライドできるようにする。そして、この状態で取付ピン６を差込孔２０に差し込むと、図７に示すように、半割片７が一体となる方向へスライドしてフック９の最大径の部分が重なり合って差込孔２０の内径より小さくなる。
【００１６】
そして、前記フック９が差込孔２０を通過すると、図８に示すように、半割片７が元の位置にもどって、フック９によって下部スペーサー２が固定される。また半割片７同士は段継ぎ部１１で段継ぎ状に密接されるため、スラブ型枠１９の振動などで取付ピン６が差込孔２０から抜け出るのを防いでいる。
【００１７】
次に、この下部スペーサー２の上にスラブ下端筋２１を配筋し、このスラブ下端筋２１の上に、球形の中空材２２が連結筋２６で接合された中空材ユニット２５を設置する。そして、この中空材２２の上にスラブ上端筋２３を配筋するとともに、該スラブ上端筋２３を、下部スペーサー２に取り付けた上部スペーサー３で支持して結束線２４で結束する。このように中空材２２をスラブ型枠１９に固定するとともに、所定のスペースを確保してスラブ上端筋２３とスラブ下端筋２１とを配筋する。よってスラブ型枠１９内にコンクリート２７を打設しても、固定具１で固定された中空材２２が浮き上がらないようになる。
【００１８】
次に、図９に示すように、前記コンクリート２７が硬化した後に、取付ピン６の半割片７の段継ぎ部１１における段付き状態を解除して、半割片７同士が一体となる方向へスライドさせてフック９の最大径の部分を重ね合わせると、取付ピン６が差込孔２０の内径より小さくなるので、該差込孔２０から取付ピン６を抜くようにして底板を撤去してスラブ型枠１９を解体する。そして、この底板の撤去によるスラブ型枠１９の解体により、コンクリート２７から取付ピン６が突出した状態になり、これをハンマーなどで打ち叩いて折り取り溝１０から折り取る。
【００１９】
また図１１および図１２は第２の実施の形態のスラブ型枠の解体方法について示したものであり、図１１に示すように、長さ方向で半割した半割片７の下部に下側に向かって漸次細くなったフック９を備え、かつフック９の真上と半割片の付け根とに折り取り溝１０を設けた取付ピン２８を使用する以外は、第１の実施の形態のスラブ型枠の解体方法と同じである。
【００２０】
このスラブ型枠の解体方法は、図１２に示すように、スラブ型枠１９のコンクリート２７が硬化した後、フックの真上の折り取り溝１０によってフック９を折り取って、底板の撤去によるスラブ型枠１９を解体した後に、付け根の折り取り溝１０によって半割片７を折り取るものである。このように半割片７を折り取ることによって、底板が簡単に撤去できるのでスラブ型枠１９が簡単に解体できる。
【００２１】
また図１３および図１４は第３の実施の形態のスラブ型枠の解体方法について示したものであり、図１３に示すように、半割片７の下部に、下側に向かって漸次細くなったフック９を備え、かつ付け根に折り取り溝１０を設けた取付ピン２９を使用する以外は、第２の実施の形態のスラブ型枠の解体方法と同じである。
【００２２】
このスラブ型枠の解体方法は、図１４に示すように、スラブ型枠１９のコンクリート２７が硬化した後、付け根の折り取り溝１０によって半割片７を折り取ってから底板の撤去してスラブ型枠１９を解体するものである。このように半割片７を折り取ることによって、底板が簡単に撤去できるのでスラブ型枠１９が簡単に解体できる。
【００２３】
また図１５は第４の実施の形態のスラブ型枠の解体方法について示したものであり、図１５に示すように、半割片７の下部に下側に向かって漸次細くなったフック９を備え、かつ付け根が細くなった取付ピン３０を使用する以外は、第２の実施の形態のスラブ型枠の解体方法と同じである。
【００２４】
このスラブ型枠の解体方法も、上記と同様に、スラブ型枠１９のコンクリート２７が硬化した後、細くなった付け根から半割り片７を捻り取ってスラブ型枠１９を解体するものである。このように半割片７を捻り取ることによって、底板が簡単に撤去できるのでスラブ型枠１９が簡単に解体できる。
【００２５】
【発明の効果】
スラブ型枠内にコンクリートが打設されるときの中空材の浮き上がりを防止する固定具と、配筋用のスペーサーとを兼用することができるので、施工の省略化と材料費の削減とができる。
【００２６】
上部スペーサーを下部スペーサーから取り外すことができるので、その高さを自由に変えることができる。
【００２７】
上部スペーサーの高さを変えるだけで各種のスラブ厚に対応することができる。
【００２８】
取付ピンの半割片を簡単に折り取れるので、スラブ型枠の解体が簡単にできる。
【００２９】
下部スペーサーの取付ピンのフックを孔から外すだけで、スラブ型枠を解体することができる。
【００３０】
取付ピンがフック真上または付け根の折り取り溝から簡単に折り取れるので、スラブ型枠の解体が簡単にできる。
【００３１】
取付ピンが細くなった付け根から簡単に折り取れるので、スラブ型枠の解体が簡単にできる。
【図面の簡単な説明】
【図１】第１の実施の形態の固定具の斜視図である。
【図２】（１）は取付ピンの正面図、（２）は（１）のＡ−Ａ線断面図、（３）は同Ｂ−Ｂ線断面図、（４）は同Ｃ−Ｃ線断面図、（５）は同Ｄ−Ｄ線断面図、（６）は取付ピンの斜視図である。
【図３】第２の実施の形態の固定具の斜視図である。
【図４】中空材を固定具で固定した断面図である。
【図５】スラブ型枠に取り付けた下部スペーサーの断面図である。
【図６】（１）は取付ピンを差込孔に挿入する前の断面図、（２）は（１）のＥ−Ｅ線断面図である。
【図７】（１）は取付ピンを差込孔に挿入中の断面図、（２）は（１）のＦ−Ｆ線断面図である。
【図８】（１）は取付ピンを差込孔に挿入した断面図、（２）は（１）のＧ−Ｇ線断面図である。
【図９】固定具で中空材を取り付ける方法の断面図である。
【図１０】取付ピンを折り取った断面図である。
【図１１】（１）は取付ピンを断面図、（２）は（１）のＨ−Ｈ線断面図である。
【図１２】（１）〜（４）は第２の実施の形態の中空材の固定方法における型枠の解体方法を示す断面図である。
【図１３】取付ピンの断面図である。
【図１４】（１）〜（３）は第３の実施の形態の中空材の固定方法における型枠の解体方法を示す断面図である。
【図１５】第４の実施の形態の中空材の固定方法に使用する取付ピンの断面図である。
【符号の説明】
１、１３、２９  固定具
２、１４  下部スペーサー
３、１５  上部スペーサー
４  板体
５  連結板
６、２８、２９  取付ピン
７  半割片
８  間隙部
９  フック
１０  折り取り溝
１１  段継ぎ部
１２  脚体
１２ａ  折曲部
１６、１７  連結具
１８  凹部
１９、３４  スラブ型枠
２０  差込孔
２１  スラブ下端筋
２２、３１  中空材
２３  スラブ上端筋
２４  結束線
２５  中空材ユニット
２６  連結筋
２７  コンクリート
【図１】
2004183439.tif 000003
【図２】
2004183439.tif 000004
【図３】
2004183439.tif 000005
【図４】
2004183439.tif 000006
【図５】
2004183439.tif 000007
【図６】
2004183439.tif 000008
【図７】
2004183439.tif 000009
【図８】
2004183439.tif 000010
【図９】
2004183439.tif 000011
【図１０】
2004183439.tif 000012
【図１１】
2004183439.tif 000013
【図１２】
2004183439.tif 000014
【図１３】
2004183439.tif 000015
【図１４】
2004183439.tif 000016
【図１５】
2004183439.tif 000017